(57)【要約】【課題】  遊技盤の右側領域に大入賞口を備えたパチンコ遊技機で、遊技盤の左側領域にのみゲートが配置されている場合でも、大当たり遊技状態終了後において速やかに特典遊技の特典を受けることができるパチンコ遊技機を提供する。【解決手段】  遊技盤３の右側領域に配置した大入賞口１６の右アタッカー８ｂを開閉する場合は、所定回数（例えば１５ラウンド）の開閉動作のうち、少なくとも最終ラウンドについては遊技盤３の中央領域に配置した大入賞口１５の中央アタッカー８ａを開閉動作させるようにした。【選択図】  図４
2009000305.tif 000002
【特許請求の範囲】
【請求項１】
遊技盤の略中央領域の下部に配置される第１の大入賞口と、前記第１の大入賞口より前記遊技盤の右側領域に配置される第２の大入賞口と、を備え、始動条件の成立に伴って特別図柄が変動を開始し、該特別図柄が所定の態様にて停止した際に、前記第１または第２の大入賞口の開閉扉を開閉動作させる特別遊技を実行可能に構成されたパチンコ遊技機であって、
前記第１の大入賞口より前記遊技盤の左側領域に設けられ、普通図柄を作動させるためのゲートと、
前記特別遊技が生起された際に、生起された特別遊技の種別に応じて前記第１又は第２の大入賞口の開閉扉の開閉動作を制御する制御手段と、を備え、
前記制御手段は、前記特別遊技において、第２の大入賞口の開閉扉の開閉を制御する際は、前記第２の大入賞口の開閉扉を前記特別遊技の種別により決定される開閉回数より少ない所定回数、開閉制御を行った後、前記第１の大入賞口の開閉扉の開閉制御を行うことを特徴とするパチンコ遊技機。
【発明の詳細な説明】
【技術分野】
【０００１】
本発明は、パチンコ遊技機に関わり、特に複数の大入賞口を備えたパチンコ遊技機に好適なものである。
【背景技術】
【０００２】
従来からパチンコ遊技機は、始動入賞口に遊技球が入賞するという始動条件の成立に伴って特別図柄が変動を開始し、特定の図柄（例えば「７７７」など三つ揃い図柄）にて停止することで、特別遊技状態である大当たり状態に移行するように構成されている。
そして、近年のパチンコ遊技機は、大当たり遊技終了後に特典遊技として確率変動遊技や時間短縮遊技を付与するように構成されているものが主流になりつつある。なお、確率変動遊技とは、大当り遊技状態終了後に大当たり遊技状態の当選確率が高くなる遊技であり、場合によっては始動条件の成立確率も共に高くなる遊技をいう。また時間短縮遊技とは、大当り遊技終了後に始動条件の成立確率が所定回数だけ高くなる遊技をいう。
また近年のパチンコ遊技機においては、第１の大入賞口と第２の大入賞口を備え、ラウンド数の相違による利益の異なる大当りとして、ラウンド数の多い確変大当りとラウンド数の少ない通常大当りとが選択可能で、通常大当りが選択されたときに、その大当り終了後、遊技状態が通常遊技状態の遊技者にとって有利な特別遊技態様としての特別遊技状態に移行するようにしたパチンコ遊技機なども提案されている（特許文献１）。
【０００３】
ところで、大当たり遊技終了後に特典遊技として確率変動遊技や時間短縮遊技を付与するように構成されたパチンコ遊技機においては、遊技者にすれば、大当たり終了後は速やかに特典遊技の利益が得られることが望ましい。
特典遊技では、例えば確率変動遊技では次回の大当たりまで、時間短縮遊技では始動条件が所定回数に達するまで、普通図柄の当選確率を高く設定すると共に、その抽選間隔を短く設定することで、電動式チューリップ等からなる可変入賞装置への入賞確率が飛躍的に向上させるようにしている。これにより、遊技者は遊技球を減らすことなく、次回の大当たりを期待できるものとなっている。
上記普通図柄の始動は、遊技盤に設けられている普通始動口であるゲートにおいて遊技球を検出することを条件としている。このため、ゲートは、遊技球が比較的通過し易い位置に複数配置することが望ましい。しかし、近年のパチンコ遊技機は、より興趣を高めるために遊技盤に占める図柄表示装置や装飾体の割合が大きくなっており、遊技盤上にゲートを複数配置することが困難になっている。そこで、特許文献１のパチンコ遊技機では、特典遊技状態において遊技者が遊技球を発射する遊技盤の左側の遊技領域にのみゲートを設けるようにしていた。
【０００４】
また、従来のパチンコ遊技機においては、大当たり遊技状態において遊技球がゲートを通過した場合も、その個数をメモリに記憶しておき、大当たり遊技終了後に、メモリの情報を速やかに普通図柄の始動に反映させることで特典遊技へスムーズに移行させるようにしていた。
【特許文献１】特開２００６−１４９８５７公報
【発明の開示】
【発明が解決しようとする課題】
【０００５】
しかしながら、上記特許文献１に示すような遊技盤の中央領域の下部と、遊技盤の右側領域にそれぞれ大入賞口を備えたパチンコ遊技機では、大当たり遊技状態において、遊技盤の右側領域に配置した大入賞口（以下、右大入賞口と称する）の開閉扉を開放した場合、遊技者はハンドルを操作して右側領域を狙って遊技球を発射するので、遊技盤の左側領域には遊技球が殆ど流れないことになる。従って、大当たり遊技状態のときは、遊技盤の左側領域に配置したゲートを遊技球が通過しないことになる。この結果、大当たり遊技が終了した時点では、普通図柄を始動するメモリの値が「０」になってしまい、大当たり遊技終了後、特典遊技状態に移行した時に、遊技者に対して速やかに利益を与えることができないという問題点があった。
そこで、本発明は、上記したような点を鑑みたものであり、遊技盤の中央領域と右側領域に大入賞口が設けられていると共に、遊技盤の左側領域にのみゲートが配置されているパチンコ遊技機において、大当たり遊技状態終了後において速やかに特典遊技の利益を遊技者に与えることができるパチンコ遊技機を提供することを目的とする。
【課題を解決するための手段】
【０００６】
上記目的を達成するため、請求項１に記載の発明は、遊技盤の略中央領域の下部に配置される第１の大入賞口と、前記第１の大入賞口より前記遊技盤の右側領域に配置される第２の大入賞口と、を備え、始動条件の成立に伴って特別図柄が変動を開始し、該特別図柄が所定の態様にて停止した際に、前記第１または第２の大入賞口の開閉扉を開閉動作させる特別遊技を実行可能に構成されたパチンコ遊技機であって、前記第１の大入賞口より前記遊技盤の左側領域に設けられ、普通図柄を作動させるためのゲートと、前記特別遊技が生起された際に、生起された特別遊技の種別に応じて前記第１又は第２の大入賞口の開閉扉の開閉動作を制御する制御手段と、を備え、前記制御手段は、前記特別遊技において、第２の大入賞口の開閉扉の開閉を制御する際は、前記第２の大入賞口の開閉扉を前記特別遊技の種別により決定される開閉回数より少ない所定回数、開閉制御した後、前記第１の大入賞口の開閉扉を開閉制御することを特徴とする。
【発明の効果】
【０００７】
本発明によれば、特別遊技として第２の大入賞口を開閉扉の開閉を制御する際は、第２の大入賞口の開閉扉を所定回数、開閉制御した後、第１の大入賞口の開閉扉を開閉制御するようにした。このように構成すると、遊技者は遊技盤の左側領域から第１の大入賞口に遊技球を入賞させるので、特別遊技中に遊技球がゲートを通過するので、特別遊技状態終了後において速やかに特典遊技の特典を受けることが可能になる。
【発明を実施するための最良の形態】
【０００８】
以下、本発明の実施形態について説明する。
図１は、本発明の実施形態に係るパチンコ遊技機の一例を示した全体正面図である。
この図に示すパチンコ遊技機１は、矩形形状の枠２を有し、この枠２の窓孔に対して裏側から遊技盤３が着脱可能に取り付けられている。
遊技盤３の前面側には、図示しないガラス枠が開閉可能に取り付けられている。また遊技盤３の下部には遊技球を貯留する受け皿部４と、受け皿部４の遊技球を発射する発射レバー５等が設けられている。また、受け皿部４と発射レバー５との間の前面下部板６には、遊技機用ボタンスイッチや、遊技球の購入ボタン、購入取り消しボタン、受け皿部４内の遊技球を下方から外部に抜くための球抜きボタンが設けられている。
また、遊技盤３のほぼ中央部には、中央が開口したセンター部材７が配置される。センター部材７の内部には図柄表示装置９が配置されている。図柄表示装置９は、例えば、液晶表示装置等の液晶表示パネルによって構成され、通常動作状態の時は、図示しない特別図柄画像が表示される。また、いわゆる特別遊技状態の時は、特別遊技状態であることを示す演出画像等が表示される。
【０００９】
センター部材７の下方には、図柄表示装置９の特別図柄を可変表示させるための可変入賞装置１１が設けられている。また、センター部材７の左側には、普通図柄表示装置１０に表示される普通図柄を作動させるためのゲート１４が設けられている。
可変入賞装置１１の下方には、特別遊技状態の一つである大当たり状態のときに開放状態になる開閉扉（以下、中央アタッカー）８ａを有する大入賞口１５が設けられていると共に、可変入賞装置１１の右側には、同じく大当たり状態のときに開放状態になる開成状態になる開閉扉（以下、右アタッカー）８ｂを有する大入賞口１６が設けられている。
可変入賞装置１１は、図柄表示装置９を可変表示させるための上始動ポケット１３と左右一対の開閉爪（可動片）を有する電動式チューリップ１７とを備えて構成される。なお、可変入賞装置１１の詳細な構造については後述する。
また遊技盤３には普通入賞口１８やアウト口１９等が設けられていると共に、風車や図示しない多数の遊技釘が突設されている。遊技釘は、遊技球の落下速度を遅くすると共に、落下方向を複雑に変化させて遊技進行上の興趣を高めている。
【００１０】
普通図柄表示装置１０に表示される普通図柄は、１個または複数個の図柄を変動表示可能であり、普通図柄始動口としてのゲート１４が遊技球を検出することを条件に、その図柄が乱数制御等により所定時間可変して停止するようになっている。
普通図柄としては、数字図柄、アルファベット図柄、キャラクター図柄、その他の適宜の遊技図柄が使用される。そして、ゲート１４を遊技球が通過したことを条件に乱数制御により普通図柄が所定態様となった場合に、可変入賞装置１１に設けられた電動式チューリップ１７から成る可動片を所定時間、開成動作するように構成されている。
また図柄表示装置９に表示される特別図柄は、停止図柄が予め定められた図柄の組合せ、例えば同一図柄の組合せとなった場合に大当たり状態となるように構成されている。また特別図柄は可変入賞装置１１の上始動ポケット１３又は電動式チューリップ１７の開成動作により遊技球が誘導される下始動口（図示していない）において遊技球を検出することを条件に乱数制御等により表示がスクロールする等、所定の変動パターンで所定時間変動（可変）して図柄で停止するようになっている。
その際、有効ライン上に２個の停止図柄が同一となった場合に、リーチ状態が発生し、このリーチ状態において、有効ライン上の最後の停止図柄が既に停止している２個の図柄と同一となった場合に大当たり状態が発生する。なお、特別図柄としては、数字図柄、アルファベット図柄、キャラクター図柄等が使用可能である。
【００１１】
図２は本実施形態のパチンコ遊技機の大入賞口の構造を示した図であり、（ａ）は正面図、（ｂ）はＡ−Ａ断面図、（ｃ）はＢ−Ｂ断面図である。
この図２に示すように、大入賞口１５内には、遊技球Ｐの入賞をカウントするためのスイッチとして、２つの大入賞口ＳＷ１５ａ、１５ａが設けられており、中央アタッカー８ａが開放状態のときに、遊技球Ｐが大入賞口ＳＷ１５ａ、１５ａの何れか一方を通過することによりカウントするようにしている。大入賞口１５内に２つの大入賞口ＳＷ１５ａ、１５ａが設けられているのは、大入賞口１５内へ入賞した遊技球Ｐを迅速にカウントするためである。なお、大入賞口１６の構成は、大入賞口１５の構成と同一であるので説明は省略する。
【００１２】
図３は、本実施形態のパチンコ遊技機の遊技制御を行う遊技制御装置の構成を示したブロック図である。
この図３に示す遊技制御装置においては、遊技の進行を制御する遊技制御手段として遊技制御基板２１が設けられていると共に、遊技の演出を行う遊技演出手段、及び遊技の演出を制御する遊技演出制御手段として、図柄制御基板３１、音声制御基板４１、及び演出制御基板５１が設けられている。
遊技制御基板２１は、ＣＰＵ２２、ＲＯＭ２３、ＲＡＭ２４、及び入出力インターフェース（以下、「Ｉ／Ｏ」と表記する）２５、２６を有し、当該パチンコ遊技機１の主たる制御を行う。遊技制御基板２１のＩ／Ｏ２５には、可変入賞装置１１の下始動口に設けられた下始動スイッチ（ＳＷ）１２ａや、上始動ポケット１３に設けられた上始動スイッチ（ＳＷ）１３ａ、遊技盤３上の始動ゲート１４ａが接続されている。また遊技盤３の普通入賞口１８に設けられた普通入賞口スイッチ（ＳＷ）１８ａ、１８ｂ、２つの大入賞口１５及び１６に夫々設けられた大入賞口スイッチ（ＳＷ）１５ａ及び１６ａ、大入賞口１５及び１６の開閉扉を夫々開閉動作させるための大入賞口ソレノイド１５ｂ及び１６ｂ、可変入賞装置１１に備えられた電動式チューリップ１７を開閉動作させるための始動口ソレノイド１７ａなどが接続されている。
【００１３】
一方、遊技制御基板２１のＩ／Ｏ２６には図柄制御基板３１のＩ／Ｏ３５と賞球制御基板６１のＩ／Ｏ６５が接続される。図柄制御基板３１は、図柄表示装置９等の表示制御を行うためのもので、ＣＰＵ３２、ＲＯＭ３３、ＲＡＭ３４、Ｉ／Ｏ３５、３６、３７を有し、Ｉ／Ｏ３６には液晶表示装置により構成された図柄表示装置９と、図示していないが７セグメント等により構成された普通図柄表示装置１０が接続されている。またＩ／Ｏ３７は音声制御基板４１のＩ／Ｏ４５及び演出制御基板５１のＩ／Ｏ５５と接続される。
音声制御基板４１は、ＣＰＵ４２、ＲＯＭ４３、ＲＡＭ４４、Ｉ／Ｏ４５、４６を有し、Ｉ／Ｏ４６に接続されているスピーカ８の音声制御や、発射レバー５内に内蔵した振動手段４７の制御等を行う。
演出制御基板５１は、ＣＰＵ５２、ＲＯＭ５３、ＲＡＭ５４、Ｉ／Ｏ５５、５６を有し、Ｉ／Ｏ５６に接続されている各種ランプ、例えば枠２を飾る装飾ランプ（ＬＥＤ）５７やガラス枠ランプ５８、サイドランプ５９等の制御を行う。また演出制御基板５１は、センター部材７に設けられている装飾体７ａの制御も行う。
【００１４】
賞球制御基板６１は、ＣＰＵ６２、ＲＯＭ６３、ＲＡＭ６４、Ｉ／Ｏ６５、６６を有し、遊技制御基板２１からの制御信号に基づいてＩ／Ｏ６６に接続されている払出駆動モータ６７の駆動制御を行う。またＩ／Ｏ６６には定位置検出スイッチ（ＳＷ）６８ａや、払出球検出スイッチ（ＳＷ）６８ｂ、球有り検出スイッチ（ＳＷ）６８ｃ、満タン検出スイッチ（ＳＷ）６８ｄ等が接続されている。
このように構成される本実施形態のパチンコ遊技機においては、可変入賞装置１１の上始動ポケット１３又は電動式チューリップ１７を介して下始動口に遊技球が入賞して特別図柄が変動を開始し、特定の図柄（例えば「７７７」など三つ揃い図柄）にて停止すると、特別遊技状態である大当たり状態に移行する。大当たり状態に移行すると、大入賞口１５、１６の何れかの開閉扉（アタッカー）８ａ、８ｂを所定時間、所定回数だけ開閉動作する。２つの大入賞口のうち、いずれの大入賞口１５、１６を開放するかは、例えば、大当たり当選時に取得した乱数の値、すなわち大当たりの種別によって決定される。
【００１５】
大当たりの種別としては、例えば、一定時間、もしくは大入賞口に規定数の遊技球が入賞する期間を一回の開放期間として（この一回の開放期間を１ラウンドという）、所定ラウンド（例えば１５ラウンド）の大当たり遊技を行うと共に、その大当たり終了後に特典遊技として確率変動遊技を付与した、いわゆる確率変動大当たり（確変大当たり）、大入賞口の開放時間が極めて短く、且つ、大入賞口の開放回数が２回の２ラウンド大当たり遊技を行うと共に、その大当たり終了後に特典遊技として確率変動遊技を付与した、いわゆる突然確変大当たり（突確大当たり）、所定ラウンド（例えば７ラウンド）の大当たり遊技状態終了後に特典遊技として時間短縮遊技を付与した時間短縮大当たり（時短大当たり）、２ラウンドの大当たり遊技に特典遊技として時間短縮遊技を付与した大当たり（突時大当たり）などがある。
【００１６】
ここで、例えば、大当たり遊技状態において遊技盤３の右側領域に配置した大入賞口１６の右アタッカー８ｂを開閉した場合、ゲート１４が遊技盤３の左側領域にしか配置されていないと大当たり遊技中に遊技球がゲート１４を通過しないおそれがある。
そこで、本実施の形態のパチンコ遊技機においては、例えば遊技盤３の右側領域に配置した大入賞口１６の右アタッカー８ｂを開閉する場合は、所定回数（例えば１５ラウンド）の開閉動作のうち、最終ラウンドもしくは最終ラウンドを含む複数ラウンドについては遊技盤３の中央領域に配置した大入賞口１５の中央アタッカー８ａを開閉するようにした。このように構成すると、遊技盤３の中央領域に配置した大入賞口１５の中央アタッカー８ａが開放状態となる最終ラウンド、もしくは最終ラウンドを含む複数ラウンドでは、遊技者は遊技球の発射位置を遊技盤３の左側領域となるようにハンドルを調整してラウンドを消化することになる。これにより、最終ラウンド、もしくは最終ラウンドを含む複数ラウンドにおいて、遊技球が遊技盤３の左側領域に配置したゲート１４を通過する。この結果、大当たり遊技終了後、速やかに特典遊技の利益を遊技者に提供することが可能になる。
【００１７】
図４は、上記したような本実施形態のパチンコ遊技機の大当たり遊技動作を実現するための処理の一例を示したフローチャートである。なお、以下に説明する処理は、例えば、遊技制御基板２１のＣＰＵ２２がＲＯＭ２３に格納されているプログラムを実行することにより実現されるものである。
また本実施形態では、説明を分かり易くするために、１５ラウンド大当たりに当選した場合は、大入賞口１６の右アタッカー８ｂの開閉を行い、７ラウンド大当たりに当選した場合は大入賞口１５の中央アタッカー８ａの開閉を行うものとして説明する。
先ず、遊技制御基板２１のＣＰＵ２２は、ステップＳ１において、始動ＳＷ１２ａ、１３ａにより始動口へ遊技球が入賞したか否かの判別を行う。ここで、遊技球が始動口に入賞したと判別した場合（Ｓ１で「ＹＥＳ」）、ステップＳ２に進んで、始動口への入賞により取得した乱数が所定値であるか否かの判別を行う。ここで、取得した乱数が所定値であると判別した場合（Ｓ２で「ＹＥＳ」）、大当たりに当選したとしてステップＳ３に進む。なお、ステップＳ１において始動口への遊技球の入賞を検出できなかった場合、あるいはステップＳ２において取得した乱数が所定値でない場合は、ステップＳ１に戻って処理を行う。
【００１８】
ステップＳ３においては、中央アタッカー８ａまたは右アタッカー８ｂの閉鎖回数を示すカウンタの値をリセット「０」した後、続くステップＳ４において、当選した大当たりが右アタッカー８ｂを開放する大当たりであると判別した場合（Ｓ４で「ＹＥＳ」）、ステップＳ５に進み、大入賞口１６の右アタッカー８ｂを開放するための制御を行う。そして続くステップＳ６において、大入賞口１６に所定数の遊技球が入球したと判別した場合、或いは所定時間経過したと判別した場合は、ステップＳ７に進み、右アタッカー８ｂを一旦閉鎖する。つまり、１ラウンドが終了したとして右アタッカー８ｂを一旦閉じるように制御する。
【００１９】
次に、ステップＳ８において、アタッカーの閉鎖回数を示すカウンタに「１」を加算した後、続くステップＳ９において、アタッカーの閉鎖回数を示すカウンタの値が「１４」であるか否かの判別を行う。つまり、次のラウンドが最終ラウンドあるか否かの判別を行う。ステップＳ９において、アタッカーの閉鎖回数を示すカウンタの値「１４」でないと判別した場合は（Ｓ９で「ＮＯ」）」、ステップＳ５に戻って右アタッカー８ｂの開閉処理を行う。そして、ステップＳ９において、アタッカーの閉鎖回数を示すカウンタの値が「１４」であると判別した場合（Ｓ９で「ＹＥＳ」）、ステップＳ１０に進む。
ステップＳ１０では、中央アタッカー８ａを開放するための制御を行い、続くステップＳ１１において、大入賞口１５に所定数の遊技球が入球したと判別した場合、或いは所定時間経過したと判別した場合は、ステップＳ１２に進み、中央アタッカー８ａを閉鎖して、一連の大当たり処理を終了する。
一方、ステップＳ４において、当選した大当たりが右アタッカー８ｂを開放する大当たりでないと判別した場合（Ｓ４で「ＮＯ」）、ステップＳ１３に進み、中央アタッカー８ａを開放するための制御を行う。
【００２０】
そして続くステップＳ１４において、大入賞口１５に所定数の遊技球が入球したと判別した場合、或いは所定時間経過したと判別した場合は、１ラウンドが終了したとして、ステップＳ１５に進んで中央アタッカー８ａを閉鎖する。
そして、続くステップＳ１６において、アタッカーの閉鎖回数を示すカウンタに「１」を加算した後、続くステップＳ１７において、アタッカーの閉鎖回数を示すカウンタの値が「７」であるか否かの判別を行い、カウンタの値が「７」であると判別した場合（Ｓ１７で「ＹＥＳ」）、一連の大当たり処理を終了する。一方、ステップＳ１７において、閉鎖回数を示すカウンタの値「７」でなければ（Ｓ１７で「ＮＯ」）」、ステップＳ１３に戻って中央アタッカー８ａの開閉処理を行う。
なお、図４に示す処理では、大入賞口１６の右アタッカー８ｂを開放する大当たり遊技時に当選した場合、最終ラウンドのみ大入賞口１５の中央アタッカー８ａを開放する場合を例に挙げて説明したが、これはあくまでも一例であり、最終ラウンドを含む複数ラウンドにおいて、右アタッカー８ｂに代えて中央アタッカー８ａを開放するようにしても良い。そうすれば、大当たり遊技中において、確実にゲート１４に遊技球を通過させることができる。
【図面の簡単な説明】
【００２１】
【図１】本発明の実施形態に係るパチンコ遊技機の全体正面図である。
【図２】本実施形態のパチンコ遊技機の大入賞口の構造を示した図であり、（ａ）は正面図、（ｂ）はＡ−Ａ断面図、（ｃ）はＢ−Ｂ断面図である。
【図３】本実施形態のパチンコ遊技機の動作制御を行う遊技制御装置の構成を示したブロック図である。
【図４】本実施形態のパチンコ遊技機の大当たり遊技を実現するための処理の一例を示したフローチャートである。
【符号の説明】
【００２２】
１…パチンコ遊技機、２…枠体、３…遊技盤、４…受け皿部、５…発射レバー、６…前面下部板、７…センター部材、７ａ…装飾体、８…スピーカ、９…図柄表示装置、１０…普通図柄表示装置、１１…可変入賞装置、１２ａ…下始動口スイッチ、１３…上始動ポケット、１３ａ…上始動口スイッチ、１４…ゲート、１４ａ…始動ゲート、１５、１６…大入賞口、１５ｂ、１６ｂ…大入賞口ソレノイド、１７…電動式チューリップ、１７ａ…始動口ソレノイド、１８…普通入賞口、１９…アウト口、２１…遊技制御基板、４１…音声制御基板、４７…振動手段、５１…演出制御基板、５８…ガラス枠ランプ、５９…サイドランプ、６１…賞球制御基板、２２、３２、４２、５２、６２…ＣＰＵ、２３、３３、４３、５３、６３…ＲＯＭ、２４、３４、４４、５４、６４…ＲＡＭ、２５、２６、３５、３６、３７、４５、４６、５５、５６、６５、６６…Ｉ／Ｏ、６７…払出駆動モータ
【図１】
2009000305.tif 000003
【図２】
2009000305.tif 000004
【図３】
2009000305.tif 000005
【図４】
2009000305.tif 000006